(57)【特許請求の範囲】
【請求項１】
収納金額の情報及び印紙貼り付けが必要か否かを示す印紙貼付情報を含むデータコードが記載された収納票がセットされるセット部と、
読み取られた前記データコードを解析して前記データコードに含まれる情報を取得するデータコード解析部と、
前記セット部にセットされる前記収納票に、前記収納金額の領収印を形成する形成部と、
前記収納票を光学的に読み取って収納票画像を取得する収納票画像取得部と、
前記収納票画像に基づいて、前記収納票に印紙が貼り付けられているか否かを判定する印紙貼付判定部と、
を備える収納票処理装置。
【請求項２】
前記形成部は、前記印紙貼付情報に基づいて、前記収納票に印紙貼付印をさらに形成する、請求項１に記載の収納票処理装置。
【請求項３】
収納金額の情報を含むデータコードが記載された収納票であって、切り離し可能な受領証領域を含む当該収納票がセットされるセット部と、
読み取られた前記データコードを解析して前記データコードに含まれる情報を取得するデータコード解析部と、
前記セット部にセットされる前記収納票に、前記収納金額の領収印を形成する形成部と、
前記収納票を光学的に読み取って収納票画像を取得する収納票画像取得部と、
前記収納票画像に基づいて、前記収納票から前記受領証領域が切り離されたか否かを判定する受領証判定部と、
を備える収納票処理装置。
【請求項４】
前記データコードは印紙貼り付けが必要か否かを示す印紙貼付情報をさらに含み、
前記形成部は、前記印紙貼付情報に基づいて、前記収納票に印紙貼付印をさらに形成する、請求項３に記載の収納票処理装置。
【請求項５】
前記受領証領域が切り離された前記収納票を格納する、収納票格納部をさらに備える、請求項３又は４に記載の収納票処理装置。
【請求項６】
入金された現金を計数して入金額を特定する現金処理部をさらに備える、請求項１〜５のいずれか一項に記載の収納票処理装置。
【請求項７】
前記形成部は、前記入金額が前記収納金額に基づいて特定される支払金額以上である場合に、前記領収印を形成する、請求項６に記載の収納票処理装置。
【請求項８】
値段が設定された商品を登録する商品登録部をさらに備え、
前記商品登録部により前記商品が登録された場合、前記支払金額は、前記商品に設定された前記値段と前記収納金額が集計されることで算出される、請求項７に記載の収納票処理装置。
【請求項９】
一の前記収納票を他の前記収納票と分離する分離部をさらに備える、請求項１〜８のいずれか一項に記載の収納票処理装置。
【請求項１０】
前記形成部が前記領収印を形成する形成位置を特定する、形成位置特定部をさらに備える、請求項１〜９のいずれか一項に記載の収納票処理装置。
【請求項１１】
表示機能と入力機能を有する表示操作部をさらに備え、
前記表示操作部は、前記収納票画像を表示し、前記形成位置に関する入力を受け付け、
前記形成位置特定部は、前記入力に基づいて前記形成位置を特定する、請求項１０に記載の収納票処理装置。
【請求項１２】
前記表示操作部は、前記収納票画像の前記形成位置に前記領収印が重畳された画像をさらに表示する、請求項１１に記載の収納票処理装置。
【請求項１３】
前記データコードは前記収納票の種別を示す種別情報をさらに含み、
前記形成位置に関する情報と前記種別情報を対応付けて記憶する記憶部をさらに備え、
前記形成位置特定部は、前記記憶部に記憶された情報に基づいて前記形成位置を特定する、
請求項１０〜１２のいずれか一項に記載の収納票処理装置。
【請求項１４】
前記領収印は当日を示す情報を含む、請求項１〜１３のいずれか一項に記載の収納票処理装置。
【発明の詳細な説明】
【技術分野】
【０００１】
本発明は、収納票処理装置に関する。
【背景技術】
【０００２】
近年、コンビニエンスストアなどの店舗において、通信販売での購入代金や公共料金の支払いを行うための収納代行システムが広く利用されている。このようなコンビニエンスストアなどの店舗での収納代行業務と、当該業務用の装置については、例えば、特許文献１に記載されている。
【先行技術文献】
【特許文献】
【０００３】
【特許文献１】特開２００８−２１０２９６号公報
【発明の概要】
【発明が解決しようとする課題】
【０００４】
しかし、従来技術を用いた収納代行業務においては、収納金額が領収されたこと（支払いが行われたこと）を示す領収印が手作業で形成（押印）されていたため、当該作業に不備が発生した場合に、トラブルの原因となっていた。
【０００５】
そこで、本発明は、上記問題に鑑みてなされたものであり、本発明の目的とするところは、収納代行業務にかかる不備の発生を抑制する、新規かつ改良された収納票処理装置を提供することにある。
【課題を解決するための手段】
【０００６】
上記課題を解決するために、本発明のある観点によれば、収納金額の情報及び印紙貼り付けが必要か否かを示す印紙貼付情報を含むデータコードが記載された収納票がセットされるセット部と、読み取られた前記データコードを解析して前記データコードに含まれる情報を取得するデータコード解析部と、前記セット部にセットされる前記収納票に、前記収納金額の領収印を形成する形成部と、前記収納票を光学的に読み取って収納票画像を取得する収納票画像取得部と、前記収納票画像に基づいて、前記収納票に印紙が貼り付けられているか否かを判定する印紙貼付判定部と、を備える収納票処理装置が提供される。また、前記形成部は、前記印紙貼付情報に基づいて、前記収納票に印紙貼付印をさらに形成してもよい。上記課題を解決するために、本発明のある別の観点によれば、収納金額の情報を含むデータコードが記載された収納票であって、切り離し可能な受領証領域を含む当該収納票がセットされるセット部と、読み取られた前記データコードを解析して前記データコードに含まれる情報を取得するデータコード解析部と、前記セット部にセットされる前記収納票に、前記収納金額の領収印を形成する形成部と、前記収納票を光学的に読み取って収納票画像を取得する収納票画像取得部と、前記収納票画像に基づいて、前記収納票から前記受領証領域が切り離されたか否かを判定する受領証判定部と、を備える収納票処理装置が提供される。
【０００７】
前記収納票処理装置は、入金された現金を計数して入金額を特定する現金処理部をさらに備えてもよい。
【０００８】
前記形成部は、前記入金額が前記収納金額に基づいて特定される支払金額以上である場合に、前記領収印を形成してもよい。
【０００９】
前記収納票処理装置は、値段が設定された商品を登録する商品登録部をさらに備え、前記商品登録部により前記商品が登録された場合、前記支払金額は、前記商品に設定された前記値段と前記収納金額が集計されることで算出されてもよい。
【００１０】
前記収納票処理装置は、一の前記収納票を他の前記収納票と分離する分離部をさらに備えてもよい。
【００１２】
前記データコードは印紙貼り付けが必要か否かを示す印紙貼付情報をさらに含み、前記形成部は、前記印紙貼付情報に基づいて、前記収納票に印紙貼付印をさらに形成してもよい。
【００１５】
前記収納票処理装置は、前記受領証領域が切り離された前記収納票を格納する、収納票格納部をさらに備えてもよい。
【００１６】
前記収納票処理装置は、前記形成部が前記領収印を形成する形成位置を特定する、形成位置特定部をさらに備えてもよい。
【００１７】
前記収納票処理装置は、表示機能と入力機能を有する表示操作部をさらに備え、前記表示操作部は、前記収納票画像を表示し、前記形成位置に関する入力を受け付け、前記形成位置特定部は、前記入力に基づいて前記形成位置を特定してもよい。
【００１８】
前記表示操作部は、前記収納票画像の前記形成位置に前記領収印が重畳された画像をさらに表示してもよい。
【００１９】
前記収納票処理装置は、前記データコードは収納票の種別を示す種別情報をさらに含み、前記形成位置に関する情報と前記種別情報を対応付けて記憶する記憶部をさらに備え、前記形成位置特定部は、前記記憶部に記憶された情報に基づいて前記形成位置を特定してもよい。
【００２０】
前記領収印は当日を示す情報を含んでもよい。
【発明の効果】
【００２１】
以上説明したように本発明によれば、収納代行業務にかかる不備の発生を抑制することが可能である。
【図面の簡単な説明】
【００２２】
【図１】本発明の一実施形態による収納票処理装置の外観構成を示す説明図である。
【図２】同実施形態による収納票処理装置１の構成を示すブロック図である。
【図３】同実施形態にかかる制御部の構成を示すブロック図である。
【図４】同実施形態による収納票処理部Ｃの内部構成を示す断面図である。
【図５】同実施形態にかかる収納票吸入の流れを示す説明図である。
【図６】同実施形態にかかる収納票排出の流れを示す説明図である。
【図７】同実施形態にかかる収納票格納の流れを示す説明図である。
【図８】ＰＯＳ端末が処理する収納票の一例を示す説明図である。
【図９】収納票に含まれるデータコードのコード体系の一例を示す説明図である。
【図１０】同実施形態による収納票処理装置１の動作を示すフローチャート図である。
【図１１】同実施形態にかかる収納代行初期処理の動作を示すフローチャート図である。
【図１２】同実施形態にかかる支払処理の動作を示すフローチャート図である。
【図１３】同実施形態にかかる押印処理の動作を示すフローチャート図である。
【図１４】同実施形態にかかる格納処理の動作を示すフローチャート図である。
【図１５】同実施形態の第一の変形例による収納票処理部Ｃの内部構成を示す断面図である。
【図１６】同実施形態の第一の変形例にかかる収納票格納部の内部構成を示す断面図である。
【図１７】同実施形態の第二の変形例にかかる領収印位置特定処理の動作を示すフローチャート図である。
【図１８】同実施形態の第二の変形例にかかる領収印位置特定処理の動作を示すフローチャート図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２５】
＜＜１．本実施形態の概要＞＞
まず、本発明の一実施形態による収納票処理装置の概要を説明する。本実施形態による収納票処理装置１は、少なくとも、商品の登録や代金支払いに関する物販処理機能と、収納代行業務に関する収納代行処理機能を有する収納票処理装置である。
【００２６】
図１は本発明の一実施形態による収納票処理装置１の外観構成を示す説明図である。図１に示したように、本実施形態による収納票処理装置１は、ＰＯＳ端末Ａと現金処理部Ｂ（現金処理部１２８）と収納票処理部Ｃから成る。ＰＯＳ端末Ａはデータコードリーダ１２２、店員側タッチパネル１２４、顧客側タッチパネル１２６を備え、収納票処理部Ｃは、セット部１３０、吸入口１５２、排出口１５４を備える。
【００２７】
データコードリーダ１２２は、商品などに記載されているデータコードを光学的に読み取って解析し、データコードに含まれる情報を取得する。
【００２８】
店員側タッチパネル１２４は、表示機能と入力機能を有し、例えば、収納票処理装置１が設置される店舗の店員が各種情報の確認や収納票処理装置１の操作を行うために用いられる。顧客側タッチパネル１２６は、表示機能と入力機能を有し、例えば、商品の購入や収納代行による支払を行う顧客が各種情報の確認や、承認などを行うために用いられる。
【００２９】
現金処理部１２８は、現金を処理するための部位である。例えば現金処理部１２８は、入金された現金を計数し、その結果に基づいて特定した入金額を後述するＰＯＳ端末Ａの制御部１１０に通知する。制御部１１０は取得した入金額と支払金額を比較して支払金額よりも入金額の方が大きい場合には釣銭を出金するように現金処理部１２８に通知する。現金処理部１２８は、制御部１１０の通知に従って釣銭を出金する。
【００３０】
セット部１３０は、収納金額の情報を含むデータコードが記載された収納票がセットされる部位である。吸入口１５２は、収納票を収納票処理装置１の内部に吸入するための受入口である。セット部１３０は吸入口１５２と接続され、セット部１３０にセットされた収納票は、吸入口１５２から収納票処理装置１の内部に吸入される。排出口１５４は、収納票処理装置１の内部に吸入された収納票を排出する。
【００３１】
＜＜２．背景＞＞
以上、本発明の一実施形態による収納票処理装置１の概要を説明した。続いて、本実施形態による収納票処理装置１の創作に至った背景を説明する。
【００３２】
コンビニエンスストアなどの店舗における収納代行業務では、通常、当該店舗の店員が複雑な処理を行う必要がある。以下では、店員による収納代行業務の処理手順の一例を説明する。
【００３３】
まず、店員は顧客から受け取った収納票の枚数を確認し、店員側タッチパネルやキーボードなどを操作してＰＯＳ端末に収納票の枚数を入力する。続いて、店員は収納票に記載されたデータコードをデータコードリーダで読み取り、合計収納金額の確認と承認を顧客に依頼する。この時、合計金額と承認ボタンが顧客側タッチパネルに表示される。顧客が承認ボタンを押下すると、店員は顧客から現金を受け取り、現金収納部（キャッシュドロワ―）に現金を入金して、釣銭があった場合には釣銭を顧客に返却する。また、店員は店員側タッチパネルやキーボードなどを操作して、当該顧客から収納金額を領収したことをＰＯＳ端末に入力する。さらに、店員は収納票の領収印欄に、当日の日附を含む領収印を押印する。また、印紙が必要な場合には、店員は収納票の印紙貼付欄に印紙を貼り付ける。その後、店員は領収印欄を含む顧客控え（受領証領域）を収納票から切り離して顧客に渡す。最後に、店員は収納票の保管場所に顧客控えが切り離された収納票を格納する。
【００３４】
しかし、上記の処理は店員による手作業が多く、不備が発生しやすいという問題があった。特に、収納代行業務に慣れていない店員（主にアルバイト店員）は、処理に長時間かかってしまうことや、処理を間違えてしまうことがあった。
【００３５】
例えば、上記のような手作業での処理では、領収印の押印漏れ、代金の受領漏れ、収納金額の間違い、領収印の日附間違い、データコードの読み取り漏れ、印紙の貼付漏れ、不要な印紙の貼り付け、複数の収納票のうちの一部の処理漏れ、処理済みの収納票の紛失（格納漏れ）、などの不備が発生する場合があった。
【００３６】
そこで、本件発明者は、上記事情を一着眼点にして本発明の実施形態を創作するに至った。本実施形態による収納票処理装置１は、上記の手作業のうち少なくとも一部を自動化することで、収納代行業務における不備の発生を抑制することが可能である。以下、本発明の実施形態による収納票処理装置１において、上記の効果を実現するための構成を詳細に説明する。
【００３７】
＜＜３．構成＞＞
＜３−１．収納票処理装置１の構成＞
図２は、本実施形態による収納票処理装置１の構成を示すブロック図である。図１を参照して説明したように、収納票処理装置１は、ＰＯＳ端末Ａと現金処理部Ｂと収納票処理部Ｃから成る。ＰＯＳ端末Ａは、制御部１１０、通信部１２０、データコードリーダ１２２、店員側タッチパネル１２４、顧客側タッチパネル１２６、記憶部１３８を備える。収納票処理部Ｃは、セット部１３０、プリンタ部１３２、スキャナ部１３４、分離部１３６、収納票格納部１４０を備える。現金処理部Ｂと収納票処理部Ｃは図示しない通信部でＰＯＳ端末Ａと接続されている。
【００３８】
制御部１１０は、記憶部１３８に格納されている制御プログラムに基づいて収納票処理装置１の各構成を制御する。制御部１１０の詳細な構成については後述する。
【００３９】
通信部１２０は、有線／無線により他の情報処理装置との間でデータの送受信を行うための通信モジュールである。例えば、通信部１２０は、ＬＡＮ（Ｌｏｃａｌ  Ａｒｅａ  Ｎｅｔｗｏｒｋ）などに接続され、同一店舗内に設置された図示されない他のＰＯＳ端末やコンピュータと通信する。また、例えば、通信部１２０は、ＬＡＮ（Ｌｏｃａｌ  Ａｒｅａ  Ｎｅｔｗｏｒｋ）や電話回線などに接続され、図２に示した通信網２を介してセンタサーバ３と通信する。例えば、通信部１２０は、通信網２を介してセンタサーバ３に、収納票処理装置１で収納代行処理が行われた収納票に関する情報を送信してもよい。
【００４０】
データコードリーダ１２２は、商品などに記載されているデータコードを光学的に読み取って解析し、データコードに含まれる情報（例えば商品の識別情報）を取得する。取得されたデータコードに含まれる情報は、制御部１１０に入力される。なお、データコードリーダ１２２は、収納票に記載されたデータコードを読み取る機能を有してもよいが、本実施形態にかかる以下の説明では、データコードリーダ１２２は商品のデータコードの読み取りに用いられ、収納票に記載されたデータコードの読み取りには用いられない。
【００４１】
店員側タッチパネル１２４は、表示機能と入力機能を有する表示操作部であり、例えば、収納票処理装置１が設置される店舗の店員が各種情報の確認や収納票処理装置１の操作を行うために用いられる。顧客側タッチパネル１２６は、表示機能と入力機能を有し、例えば、顧客が各種情報の確認や、承認などを行うために用いられる。
【００４２】
現金処理部１２８は、現金を処理するための部位である。例えば現金処理部１２８は、入金された現金を計数し、その結果に基づいて特定した入金額をＰＯＳ端末Ａの制御部１１０に通知する。制御部１１０は取得した入金額と支払金額を比較して支払金額よりも入金額の方が大きい場合には釣銭を出金するように現金処理部１２８に通知する。現金処理部１２８は、制御部１１０の通知に従って釣銭を出金する。
【００４３】
セット部１３０は、収納金額の情報を含むデータコードが記載された収納票がセットされる部位である。例えば、セット部１３０は収納票がセットされたことを検知するセンサーを有し、収納票がセットされた場合に、収納票がセットされたことを制御部１１０に通知してもよい。
【００４４】
プリンタ部１３２は、収納票処理部Ｃの内部に設けられ、ＰＯＳ端末Ａの制御部１１０の制御に応じて収納票に対する印刷を行う。例えば、本実施形態によるプリンタ部１３２は、セット部にセットされる収納票に、収納金額の領収印を形成する形成部としての機能を有する。かかる構成によれば、自動的に領収印の形成が行われるため、例えば、領収印の押印漏れなどの不備が抑制される。
【００４５】
また、プリンタ部１３２は、入金額が支払金額以上である場合に、領収印を形成してもよい。かかる構成によれば、例えば、入金額が不足していたにも関わらず領収印が形成されてしまう、代金の受領漏れが発生したにも関わらず領収印が形成されてしまう、などの不備を抑制することが可能である。
【００４６】
また、プリンタ部１３２は、収納票に記載されたデータコードに含まれる印紙貼付情報に基づいて、収納票に印紙貼付印を形成してもよい。かかる構成によれば、店員は形成された印紙貼付印を目印に印紙の貼り付けを行うことが可能であるため、例えば、印紙の貼付漏れや、不要な印紙の貼り付け、などの不備を抑制することが可能である。
【００４７】
なお、プリンタ部１３２が形成する領収印は、当日を示す情報を含んでもよい。当日を示す情報は、例えば、日附である。また、この日附は、例えば、現金処理部１２８に現金が入金された時点の日附でもよいし、収納金額の領収が完了したことが通信部１２０からセンタサーバ３に送信された時点の日附でもよい。かかる構成によれば、自動的に当日を示す情報が含まれた領収印が形成されるため、例えば、領収印の日附間違いなどの不備を抑制することが可能である。
【００４８】
スキャナ部１３４は、収納票処理部Ｃの内部に設けられ、収納票を光学的に読み取って、収納票画像を取得する収納票画像取得部としての機能を有する。取得された収納票画像は、制御部１１０に入力される。
【００４９】
分離部１３６は、収納票処理部Ｃの内部に設けられ、一の収納票を他の収納票と分離する。例えば、分離部１３６は、セット部１３０にセットされた収納票が吸入される際に、一の収納票を他の収納票と分離し、収納票を一枚ずつ吸入させる。かかる構成によれば、複数の収納票を処理する場合にも、収納票が一枚ずつ別々に処理されるため、例えば、複数の収納票の内の一部の処理漏れなどの不備が抑制される。
【００５０】
記憶部１３８はＰＯＳ端末Ａの内部に設けられ、物販処理や収納代行処理における入力データなどを記憶する他、収納票処理装置１の動作を制御するための制御プログラムを格納する。また、記憶部１３８は商品の識別情報と、商品の値段や名称を関連付けて格納する。また、店員側タッチパネル１２４、顧客側タッチパネル１２６が表示する各種画面の情報も記憶部１３８に格納されている。
【００５１】
収納票格納部１４０は、収納票処理部Ｃの内部に設けられ、受領証領域（顧客控え）が切り離された収納票を格納する。収納票の格納処理は制御部１１０の制御に基づいて行われる。また、収納票格納部１４０に格納された収納票は、不図示の収納票取出口からまとめて取り出されてもよい。かかる構成によれば、処理済みの収納票の紛失や格納漏れ、などの不備が抑制される。
【００５２】
＜３−２．制御部の構成＞
以上、収納票処理装置１の構成を説明した。続いて、上記で説明した収納票処理装置１の各構成の制御を行う制御部１１０について、図３を参照して詳細に説明する。図３は、本実施形態にかかる制御部１１０の構成を示すブロック図である。
【００５３】
制御部１１０は、図３に示したように、主制御部１１１、データコード解析部１１２、印紙貼付判定部１１３、商品登録部１１４、受領証判定部１１５、位置特定部１１６を有する。
【００５４】
主制御部１１１は、収納票処理装置１の制御を統括し、例えば、収納票処理装置１の各構成と制御部１１０との間の情報の入出力や、制御信号の出力などを行う。
【００５５】
データコード解析部１１２は、読み取られたデータコードを解析してデータコードに含まれる情報を取得する。例えば、本実施形態のデータコード解析部１１２は、スキャナ部１３４が収納票を読み取って取得した収納票画像に含まれるデータコードを解析し、当該データコードに含まれる情報を取得する。収納票画像に含まれるデータコード（収納票に記載されたデータコード）に含まれる情報については後述する。
【００５６】
印紙貼付判定部１１３は、収納票画像に基づいて、収納票に印紙が張り付けられているか否かを判定する。本実施形態では、印紙の貼り付けは店員による手作業で行われる。そこで、本実施形態では、後述するように、印紙貼付印が印刷された収納票は、一度収納票処理部Ｃから排出され、店員が印紙の貼り付けを行った後に収納票処理部Ｃに再吸引される。例えば、印紙貼付判定部１１３は、上記の排出前と再吸引後の異なる時刻において、同一の収納票から取得された収納票画像同士で差分を算出し、印紙貼付欄における差分が大きい場合には、当該収納票に印紙が張り付けられていると判定してもよい。また、例えば、印紙貼付判定部１１３は、プリンタ部１３２が印紙貼付印を印刷した収納票から取得された収納票画像であって、当該印刷より後の時刻に取得された収納票画像に対して、印紙貼付印の検出処理を行い、印紙貼付印が検出されなかった場合に、当該収納票に印紙が張り付けられていると判定してもよい。
【００５７】
上記の印紙貼付判定部の判定結果に基づき、例えば、店員への警告や通知を行うことで、印紙の貼付漏れや、不要な印紙の貼り付け、などの不備を抑制することが可能である。
【００５８】
商品登録部１１４は、値段が設定された商品を登録する。例えば、商品登録部１１４は、データコードリーダ１２２が読み取った商品の識別情報を、物販処理中の商品として、記憶部１３８に格納（登録）する。上述したように、記憶部１３８は商品の識別情報と商品の値段を関連付けて記憶しているため、商品登録部１１４により商品が登録された場合に、主制御部１１１は、商品に設定された値段と収納金額を集計して支払金額を算出することができる。
【００５９】
受領証判定部１１５は、収納票から受領証領域が切り離されたか否かを判定する。本実施形態では、受領証領域の切り離しは店員による手作業で行われる。そこで、本実施形態では、後述するように、領収印が押印された収納票は、一度収納票処理部Ｃから排出され、店員が受領証領域の切り離しを行った後に収納票処理部Ｃに再吸引される。例えば、受領証判定部１１５は、上記の排出前と再吸引後の異なる時刻において同一の収納票から取得された収納票画像同士でサイズを比較し、より後の時刻に取得された収納票画像のサイズの方が小さい場合に、当該収納票から受領証領域が切り離されたと判定してもよい。
【００６０】
上記の受領証判定部１１５の判定結果に基づき、例えば、店員への警告や通知を行うことで、受領証の切り離し漏れ、受領証の渡し漏れ、などの不備を抑制することが可能である。
【００６１】
位置特定部１１６は、プリンタ部１３２が領収印を形成する形成位置を特定する、形成位置特定部としての機能を有する。例えば、位置特定部１１６は、収納票画像に対するＯＣＲ（Ｏｐｔｉｃａｌ  Ｃｈａｒａｃｔｅｒ  Ｒｅｃｏｇｎｉｔｉｏｎ）処理により、領収印欄を示す特定の文字列を検出することで、形成位置を特定してもよい。また、位置特定部１１６は、上記と同様の方法により、印紙貼付位置（すなわち、プリンタ部１３２が印紙貼付印を形成する位置）を特定してもよい。
【００６２】
＜３−３．収納票処理にかかる機構＞
以上、制御部１１０の構成を詳細に説明した。続いて、制御部１１０が制御する、収納票の処理を行うための機構について図４を参照して説明する。図４は、本実施形態による収納票処理部Ｃの収納票処理にかかる部分の内部構成を示す断面図である。なお、図４は、収納票処理部Ｃの収納票処理にかかる部分を、図１のＳ−Ｓ線に沿って垂直に切断した断面図である。
【００６３】
収納票４ａ〜４ｄは、主に図４に示したセット部１３０、プリンタ部１３２、スキャナ部１３４、分離部１３６、収納票格納部１４０、吸入口１５２、排出口１５４、ピックアップローラ１５６、ブレード１５８、１６０、及び上記各部を制御する制御部１１０（不図示）によって処理される。以下、収納票４ａの処理のうち、吸入、排出、格納の流れについて図５〜７を参照して順次説明する。
【００６４】
（吸入）
図５は、本実施形態にかかる収納票吸入の流れを示す説明図である。セット部１３０にセットされた収納票４ａは、ピックアップローラ１５６によって吸入口１５２から収納票処理部Ｃの内部に吸入される。収納票４ａが吸入される際、ピックアップローラ１５６は、収納票４ａに接するように移動し、収納票４ａが収納票処理部Ｃの内部に吸入されるように回転する。このとき、分離部１３６は、セット部１３０にセットされた収納票４ａを他の収納票と分離し、一枚ずつ吸入させる。例えば、分離部１３６（分離ローラ）は、セット部１３０にセットされた収納票４ａ、４ｂのうち、一番上にセットされた収納票４ａ以外（すなわち収納票４ｂ）を押し戻すように回転してもよい。
【００６５】
吸入された収納票４ａは、収納票処理部Ｃ内部を搬送され、例えば、スキャナ部１３４によって光学的に読み取られる。また、収納票４ａは必要に応じてプリンタ部１３２の下に搬送され、プリンタ部１３２は、領収印や印紙貼付印などを収納票４ａに印刷してもよい。なお、後述するように収納票処理部Ｃ内部での収納票４ａの搬送ルートは、ブレード１５８、１６０によって切り替えられてもよい。
【００６６】
（排出）
図６は、本実施形態にかかる収納票排出の流れを示す説明図である。図６に示したように、ブレード１５８によって搬送ルートが切り替えられ、収納票４ａは、排出口１５４から排出される。
【００６７】
（格納）
図７は、本実施形態にかかる収納票格納の流れを示す説明図である。図７に示したように、ブレード１６０によって搬送ルートが切り替えられ、各種処理が完了して受領証領域が切り離された収納票４ａは、収納票格納部１４０に搬送され、格納される。
【００６８】
＜３−４．収納票の一例＞
以上、本実施形態の収納票処理にかかる機構と、収納票の吸入、排出、格納の流れについて説明した。続いて、本実施形態による収納票処理装置１が処理する収納票４について、図８、図９を参照して例示的に説明する。
【００６９】
図８は、本実施形態による収納票処理装置１が処理する収納票４の一例を示す説明図である。収納票４は、図８に示すように、全ての処理が完了した後に本部に送られる本部控え１０、店舗に保管される店舗控え２０、顧客に渡される顧客控え（受領証領域）３０を含む。少なくとも顧客控え３０は、収納票の他の領域から切り離し可能である。
【００７０】
本部控え１０は、図８に示すように支払先の口座番号や収納金額などの情報の他、領収印領域１２とデータコード領域１４を含む。領収印領域１２には領収印が形成（押印）される。データコード領域１４には、収納に関する情報を含む一次元のデータコードが記載される。
【００７１】
図９は、収納票４のデータコード領域１４に記載されるデータコードのコード体系の一例を示す説明図である。図９に示すように、データコード領域１４に記載されるデータコードは、例えば、収納金額（収納票４ａにかかる支払金額）の情報、印紙貼り付けが必要か否かを示す印紙貼付情報（印紙フラグ）などの情報を含む。また、図９の自由使用欄には、例えば収納票の種別を示す種別情報や、収納票を識別する識別情報が含まれてもよい。
【００７２】
店舗控え２０は、図８に示すように領収印領域２２を含む。領収印領域２２には領収印が形成（押印）される。
【００７３】
顧客控え（受領証領域）３０は、図８に示すように領収印領域３２、印紙貼付領域３４を含む。領収印領域３２には領収印が形成（押印）される。また、本実施形態において、印紙貼付領域３４には、プリンタ部１３２によって印紙貼付印が形成され、店員によって印紙が貼り付けられる。
【００７４】
＜＜４．動作＞＞
以上、本発明の一実施形態による収納票処理装置１の構成を説明した。続いて、本実施形態による収納票処理装置１の動作を説明する。以下では、図１０を参照して、本実施形態による収納票処理装置１の動作概要について説明した後、図１１〜図１４を参照して、収納代行にかかる各処理について詳細に説明する。
【００７５】
＜４−１．動作概要＞
図１０は、本実施形態による収納票処理装置１の動作概要を示すフローチャート図である。
【００７６】
収納代行がない（顧客が収納票を有しない）場合（Ｓ１０においてＮＯ）、かつ、物販もない場合（Ｓ１２においてＮＯ）には処理を終了する。収納代行がない場合（Ｓ１０においてＮＯ）、かつ、物販がある場合（Ｓ１２においてＹＥＳ）には、データコードリーダ１２２による商品の読み取り、登録などの物販処理が行われる（Ｓ１４）。続いて、現金処理部１２８により支払処理が行われる（Ｓ１６）。
【００７７】
一方、収納代行がある（顧客が収納票を有する）場合（Ｓ１０においてＹＥＳ）、かつ、物販がない場合（Ｓ１８においてＮＯ）、収納代行初期処理（Ｓ１００）が行われる。収納代行初期処理（Ｓ１００）の詳細については後述する。
【００７８】
また、収納代行と物販の両方がある場合（Ｓ１０においてＹＥＳかつＳ１８においてＹＥＳ）、物販処理と収納代行初期処理が並行して行われる（Ｓ２０）。なお、ステップＳ２０において並行して行われる物販処理はステップＳ１４と同様の処理であり、収納代行初期処理はステップＳ１００の処理と同様の処理である。物販処理と収納代行初期処理の両方が完了すると、物販にかかる商品の値段と、収納代行にかかる収納金額が現金処理部１２８により集計され、合計の支払金額が算出される。
【００７９】
続いて、合計の支払金額に対する支払処理（Ｓ２００）が行われる。支払処理（Ｓ２００）の詳細については、後述する。
【００８０】
支払が完了すると、領収印の押印処理（Ｓ３００）が行われる。押印処理（Ｓ３００）の詳細については、後述する。
【００８１】
最後に、収納票を収納票格納部１４０に格納する格納処理（Ｓ４００）が行われる。格納処理（Ｓ４００）の詳細については後述する。
【００８２】
＜４−２．収納代行初期処理＞
以上、本実施形態による収納票処理装置１の動作概要について説明した。続いて、図１０における収納代行初期処理（Ｓ１００）の詳細について、図１１を参照して説明する。図１１は、本実施形態にかかる収納代行初期処理（Ｓ１００）の動作を示すフローチャート図である。
【００８３】
まず、セット部１３０に収納票がセットされると（Ｓ１０２）、セットされた収納票は吸入口１５２から吸入され、スキャナ部１３４によって光学的に読み取られる（Ｓ１０４）。続いて、店員側タッチパネル１２４に読み取られた収納票画像が表示される（Ｓ１０６）。
【００８４】
続いて、収納票画像に基づいて、制御部１１０のデータコード解析部１１２が収納票に記載されたデータコードの解析を行い、収納金額の情報、印紙貼付情報、収納票の識別情報などを取得する（Ｓ１０８）。取得された収納金額は記憶部１３８に記憶される。
【００８５】
次に、印紙貼付情報に基づく判定により、印紙を貼り付ける必要がある場合（Ｓ１１２においてＹＥＳ）、プリンタ部１３２は、当該収納票の印紙貼付欄に印紙貼付印を印刷する（Ｓ１１４）。続いて、排出口１５４から収納票が排出され（Ｓ１１６）、セット部１３０に他の収納票があるか否かが判定される（Ｓ１１８）。セット部１３０に他の収納票がある場合（Ｓ１１８においてＹＥＳ）、ステップＳ１０４に戻って上記と同様の処理が行われる。なお、印紙貼付印が印刷され、排出された収納票には、店員によって印紙が貼り付けられる。
【００８６】
一方、印紙の貼り付けが不要である場合（Ｓ１１２においてＮＯ）、セット部１３０に収納票があるか否かが判定される（Ｓ１２２）。セット部１３０に収納票がある場合には排出口１５４から収納票が排出される（Ｓ１２４）。
【００８７】
ステップＳ１２４において収納票が排出された後、または、セット部１３０に収納票がない場合（Ｓ１１８においてＮＯ、またはＳ１２２においてＮＯ）、店員側タッチパネル１２４に読取を継続するか否か選択させるボタンが表示される。かかる構成によれば、顧客が収納票を一度に店員に渡さず、複数回に分けて店員に渡した場合であっても、同一の会計で処理することが可能である。
【００８８】
店員により読取継続が選択された場合（Ｓ１２０においてＹＥＳ）、収納票処理部Ｃ内部に収納票が残っている場合には（Ｓ１２６においてＹＥＳ）、排出口１５４から収納票が排出され（Ｓ１２８）、ステップＳ１０２に戻って上記と同様の処理が行われる。
【００８９】
＜４−３．支払処理＞
以上、図１０における収納代行初期処理（Ｓ１００）の詳細について説明した。続いて、図１０における支払処理（Ｓ２００）の詳細について、図１２を参照して説明する。図１２は、本実施形態にかかる支払処理（Ｓ２００）の動作を示すフローチャート図である。
【００９０】
まず、収納代行初期処理において、記憶部１３８に記憶された収納金額の合計と、承認／非承認の選択ボタンが顧客側タッチパネル１２６に表示される（Ｓ２０２）。
【００９１】
顧客により承認が選択された場合（Ｓ２０４においてＹＥＳ）、店員は顧客から現金を受け取り、現金処理部１２８が現金の入金を受け付ける（Ｓ２０６）。続いて現金処理部１２８は、入金された現金の計数を行い（Ｓ２０８）、支払金額と入金額を比較して入金額の方が大きい場合には（Ｓ２１０においてＹＥＳ）釣銭を出金する（Ｓ２１２）。
【００９２】
一方、顧客により非承認が選択された場合、（Ｓ２０４においてＮＯ）、収納票処理部Ｃの内部に収納票が残っていれば（Ｓ２１４においてＹＥＳ）、収納票が排出口１５４から収納票が排出される（Ｓ２１６）。続いて、収納代行にかかる処理はキャンセルされる（Ｓ２１８）。
【００９３】
＜４−４．押印処理＞
以上、図１０における支払処理（Ｓ２００）の詳細について説明した。続いて、図１０における押印処理（Ｓ３００）の詳細について、図１３を参照して説明する。図１３は、本実施形態にかかる押印処理（Ｓ３００）の動作を示すフローチャート図である。
【００９４】
まず、収納票処理部Ｃの内部に収納票がある場合（Ｓ３０２においてＹＥＳ）、プリンタ部１３２は当該収納票の領収印欄に領収印を印刷（押印）し（Ｓ３０４）、排出口１５４から収納票が排出される（Ｓ３０６）。ここで、収納代行初期処理において読み取られた全ての収納票について押印が完了していた場合には（Ｓ３０８においてＹＥＳ）、押印処理を終了する。
【００９５】
一方、収納票処理部Ｃの内部に収納票がない場合（Ｓ３０２においてＮＯ）、または、全ての収納票について押印が完了していない場合（Ｓ３０８においてＮＯ）、セット部１３０に、収納代行初期処理において読み取られた収納票がセットされる（Ｓ３１０）。続いて、セットされた収納票は吸入口１５２から吸入され、スキャナ部１３４によって光学的に読み取られる（Ｓ３１２）。続いて、データコード解析部１１２が読み取られた収納票に含まれるデータコードの解析を行い、印紙貼付情報、収納票の識別情報などを取得する（Ｓ３１４）。
【００９６】
識別情報に基づく判定により、当該収納票が収納代行初期処理において読取済みの収納票であると判定された場合（Ｓ３１６においてＹＥＳ）、印紙貼付情報に基づいて印紙貼付が必要であるか否かが判定される（Ｓ３１８）。
【００９７】
印紙を貼り付ける必要がある場合（Ｓ３１８においてＹＥＳ）、制御部１１０の印紙貼付判定部１１３により、印紙が貼り付けられているか否かが判定される（Ｓ３２０）。
【００９８】
印紙が貼り付けられていなかった場合（Ｓ３２０においてＮＯ）、店員側タッチパネル１２４にはステップＳ３１２で読み取られた収納票画像が表示される（Ｓ３２２）。この時、印紙が貼り付けられているか否かを店員に選択させるボタンが店員側タッチパネル１２４に表示され、印紙が貼り付けられていなかった場合（Ｓ３２４においてＮＯ）、店員側タッチパネル１２４に印紙を貼り付けるよう指示するメッセージが表示される。
【００９９】
一方、印紙を貼り付ける必要がない場合（Ｓ３１８においてＮＯ）、または印紙が貼り付けられていた場合（Ｓ３２０においてＹＥＳ、またはＳ３２４においてＹＥＳ）、プリンタ部１３２は収納票の収納票欄に領収印を印刷（押印）する（Ｓ３２８）。
【０１００】
続いて、排出口１５４から収納票が排出される（Ｓ３３０）。なお、識別情報に基づく判定により、当該収納票が収納代行初期処理において読取済みの収納票ではないと判定された場合も（Ｓ３１６においてＮＯ）、ここで排出口１５４から収納票が排出される（Ｓ３３０）。
【０１０１】
続いて、セット部１３０に他の収納票があるか否かが判定される（Ｓ３３２）。セット部１３０に他の収納票がある場合（Ｓ３３２においてＹＥＳ）、ステップＳ３１２に戻って上記と同様の処理が行われる。
【０１０２】
一方、セット部１３０に他の収納票がない場合（Ｓ３３２においてＮＯ）、収納代行初期処理において読み取られた全ての収納票について押印が完了したか否かが判定される（Ｓ３３４）。全ての収納票について押印が完了していた場合（Ｓ３３４においてＹＥＳ）、押印処理は終了し、全ての収納票について押印が完了していない場合（Ｓ３３４においてＮＯ）、ステップＳ３１０に戻って上記と同様の処理が行われる。
【０１０３】
なお、上記の押印処理が終了し、排出された収納票は、店員により顧客控え（受領証領域）が切り離され、当該顧客控えは顧客に渡される。
【０１０４】
＜４−５．格納処理＞
以上、図１０における押印処理（Ｓ３００）の詳細について説明した。続いて、図１０における格納処理（Ｓ４００）の詳細について、図１４を参照して説明する。図１４は、本実施形態にかかる格納処理（Ｓ４００）の動作を示すフローチャート図である。
【０１０５】
まず、押印処理が終了し、顧客控え（受領証領域）が切り離された収納票が、セット部１３０にセットされる（Ｓ４０２）。続いて、セットされた収納票は吸入口１５２から吸入され、スキャナ部１３４によって光学的に読み取られる（Ｓ４０４）。続いて、データコード解析部１１２が読み取られた収納票に含まれるデータコードの解析を行い、収納票の識別情報などを取得する（Ｓ４０６）。
【０１０６】
識別情報に基づく判定により、当該収納票が収納代行初期処理、及び押印処理において読取済みの収納票ではないと判定された場合（Ｓ４０８においてＮＯ）、店員側タッチパネル１２４に当該収納票が未処理であることを通知するメッセージが表示され、排出口１５４から収納票が排出される（Ｓ４１８）。
【０１０７】
一方、当該収納票が収納代行初期処理、及び押印処理において読取済みの収納票であると判定された場合（Ｓ４０８においてＹＥＳ）受領証判定部１１５により、受領証領域が切り離されたか否かが判定される（Ｓ４１２）。
【０１０８】
受領証領域が切り離された（受領証領域がない）と判定された場合（Ｓ４１２においてＮＯ）、収納票格納部１４０に収納票が格納される（Ｓ４１４）。
【０１０９】
一方、受領証領域が切り離されていない（受領証領域がある）と判定された場合（Ｓ４１２においてＹＥＳ）、店員側タッチパネル１２４に受領証領域の切り離しを指示するメッセージが表示され、排出口１５４から収納票が排出される（Ｓ４１８）。
【０１１０】
続いて、セット部１３０に他の収納票があるか否かが判定される（Ｓ４２０）。セット部１３０に他の収納票がある場合（Ｓ４２０においてＹＥＳ）、ステップＳ４０４に戻って上記と同様の処理が行われる。
【０１１１】
一方、セット部１３０に他の収納票がない場合（Ｓ４２０においてＮＯ）、収納代行初期処理、及び押印処理において読み取られた全ての収納票について以上の処理が完了したか否かが判定される（Ｓ４２２）。
【０１１２】
全ての収納票について以上の処理が完了していない場合、（Ｓ４２２においてＮＯ）、ステップＳ４０２に戻って上記と同様の処理が行われる。一方、全ての収納票について以上の処理が完了していた場合（Ｓ４２２においてＮＯ）、店員側タッチパネル１２４に追加の収納票があるか否か選択させるボタンが表示される。
【０１１３】
追加の収納票があった場合（Ｓ４２４においてＹＥＳ）、図１１を参照して説明したステップＳ１０２に戻り、上記と同様の処理が行われる。一方、追加の収納票がない場合（Ｓ４２４においてＮＯ）、格納処理は終了する。
【０１１４】
＜＜５．変形例＞＞
以上、本発明の一実施形態を説明した。以下では、本実施形態の幾つかの変形例を説明する。なお、以下に説明する各変形例は、単独で本実施形態に適用されてもよいし、組み合わせで本実施形態に適用されてもよい。また、各変形例は、本実施形態で説明した構成に代えて適用されてもよいし、本実施形態で説明した構成に対して追加的に適用されてもよい。
【０１１５】
＜５−１．第一の変形例＞
上記では、収納票処理部Ｃの内部に収納票格納部１４０が一体化して設けられた例を説明したが、本発明はかかる例に限定されない。例えば、収納票格納部は、収納票処理部Ｃの外部に設置された収納票格納箱に設けられてもよい。
【０１１６】
図１５は、収納票格納部が収納票処理部Ｃの外部に設けられた場合の収納票処理部Ｃの収納票処理にかかる内部構成を示す断面図である。図１５に示したセット部５３０、プリンタ部５３２、スキャナ部５３４、分離部５３６、吸入口５５２、排出口５５４、ピックアップローラ５５６、ブレード５５８は、図４を参照して説明したセット部１３０、プリンタ部１３２、スキャナ部１３４、分離部１３６、吸入口１５２、排出口１５４、ピックアップローラ１５６、ブレード１５８と同様の機能を有する。上記の各部が不図示の制御部によって制御され、収納票の吸入、排出、読取及び収納票への印刷が行われる。
【０１１７】
図１６は、収納票処理部Ｃの外部に設置された収納票格納箱の内部構成を示す断面図である。図１６に示したセット部６３０、スキャナ部６３４、分離部６３６、吸入口６５２、排出口６５４、ピックアップローラ６５６、ブレード６５８、収納票格納部６４０は、図４を参照して説明したセット部１３０、スキャナ部１３４、分離部１３６、吸入口１５２、排出口１５４、ピックアップローラ１５６、ブレード１５８、収納票格納部１４０と同様の機能を有する。
【０１１８】
上記収納票格納箱は、ＰＯＳ端末Ａと接続され、ＰＯＳ端末Ａの制御部１１０によって制御される。また、図１１、図１３を参照して説明した収納代行初期処理、及び押印処理においては、収納票は図１５に示した収納票処理部Ｃのセット部５３０にセットされて各種処理が行われる。一方、図１４を参照して説明した格納処理においては、収納票は図１６に示した収納票格納箱のセット部６３０にセットされ、格納処理が行われる。
【０１１９】
＜５−２．第二の変形例＞
上記では、制御部１１０の位置特定部１１６は、収納票画像に対するＯＣＲ処理により、領収印の形成位置を特定する例を説明したが、本発明はかかる例に限定されない。
【０１２０】
例えば、店員側タッチパネル１２４（表示操作部）は、収納票画像を表示し、店員による形成位置を指定する入力を受け付け、位置特定部１１６（形成位置特定部）は、当該入力に基づいて形成位置を特定してもよい。
【０１２１】
図１７は、店員側タッチパネル１２４に対する入力に基づく形成位置の特定処理の動作の一例を示すフローチャート図である。この形成位置の特定処理は、例えば図１３を参照して説明した領収印の印刷ステップ（Ｓ３０４、及びＳ３２８）の直前に行われてもよい。
【０１２２】
まず、店員側タッチパネル１２４が、収納票画像を表示する（Ｓ５０２）。続いて、店員側タッチパネル１２４は、店員による形成位置を指定する入力を受け付ける（Ｓ５０４）。形成位置を指定する入力が行われると、店員側タッチパネル１２４は、領収証画像の指定された形成位置に領収印が重畳された画像と、当該形成位置に問題があるか否かを選択させるボタンを表示する（Ｓ５０６）。
【０１２３】
当該形成位置に問題がある場合（Ｓ５０８においてＹＥＳ）、ステップＳ５０２に戻り、上記の処理を再度行う。一方、当該形成位置に問題がない場合（Ｓ５０８においてＮＯ）、図１３を参照して説明した領収印の印刷ステップに進む。
【０１２４】
かかる構成によれば、例えば、収納票画像に対するＯＣＲ処理で形成位置が特定できない場合であっても、入力に基づいて形成位置を特定し、領収印の印刷を行うことが可能である。
【０１２５】
また、例えば、記憶部１３８は、形成位置に関する情報と収納票に記載されたデータコードに含まれる種別情報を対応付けて記憶し、位置特定部１１６（形成位置特定部）は、記憶部１３８に記憶された当該情報に基づいて形成位置を特定してもよい。
【０１２６】
図１８は、記憶部１３８に記憶された情報に基づいて形成位置を特定する処理の動作の一例を示すフローチャートである。この形成位置の特定処理は、例えば図１３を参照して説明した領収印の印刷ステップ（Ｓ３０４、及びＳ３２８）の直前に行われてもよい。
【０１２７】
まず、収納票に記載されたデータコードに含まれる種別情報が、記憶部１３８に記憶されているか否かが判定される（Ｓ６０２）。
【０１２８】
当該種別情報が形成位置に関する情報と対応付けられて記憶部１３８に記憶されていない場合（Ｓ６０２においてＮＯ）、図１７を参照して説明したステップＳ５０２〜Ｓ５０８と同様に、入力に基づく形成位置の特定処理が行われる（Ｓ６０４〜Ｓ６１０）。続いて、入力に基づいて特定された形成位置が、当該種別情報と対応付けられて記憶部１３８に記憶され、処理は図１３を参照して説明した領収印の印刷ステップに進む。
【０１２９】
一方、当該種別情報が形成位置に関する情報と対応付けられて記憶部１３８に記憶されていた場合（Ｓ６０２においてＹＥＳ）、当該種別情報と対応付けられた形成位置に関する情報が記憶部１３８から読み出される（Ｓ６１４）。続いて、店員側タッチパネル１２４は、領収証画像の読み出された形成位置に領収印が重畳された画像と、当該形成位置に問題があるか否かを選択させるボタンを表示する（Ｓ６１６）。
【０１３０】
当該形成位置に問題がある場合（Ｓ６１８においてＹＥＳ）、ステップＳ６０４に進み、上記と同様に入力に基づく形成位置の特定処理、形成位置の記憶（Ｓ６０４〜Ｓ６１２）が行われる。一方、当該形成位置に問題がない場合（Ｓ６１８においてＮＯ）、処理は図１３を参照して説明した領収印の印刷ステップに進む。
【０１３１】
かかる構成によれば、記憶された種別の収納票については、店員が形成位置を指定する入力を行う必要がないため、形成位置の特定にかかる人的負荷を削減することが可能である。
【０１３２】
なお、上記では、領収印の形成位置の特定についての説明を行ったが、印紙貼付位置の特定が同様の手順で行われてもよい。
【０１３３】
＜＜６．むすび＞＞
以上説明したように、本発明の実施形態によれば、従来店員による手作業で行われていた処理を、自動化したことで、収納代行業務にかかる不備の発生を抑制することが可能である。
【０１３４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３５】
例えば、上記実施形態では、収納票に一次元のデータコード（バーコード）が記載された例を説明したが、本発明はかかる例に限定されない。例えば、データコードとして二次元のデータコードが利用されてもよい。また、収納票にデータコードとして数字列が記載され、ＯＣＲ処理により読み取られ、解析されてもよい。
【０１３６】
また、上記実施形態では、プリンタ部が領収印を印刷することで領収印が形成される例を説明したが、本発明はかかる例に限定されない。例えば、本発明による収納票処理装置は、内部に駆動式のスタンプを有し、スタンプにより領収印が形成されもよい。
【０１３７】
また、上記実施形態では収納票処理部Ｃが吸入口１５２と排出口１５４を個別に備える例を説明したが、本発明はかかる例に限定されない。例えば、収納票処理部Ｃは、収納票の吸入と排出の両方を行う吸排口を備えてもよい。
【０１３８】
また、上記実施形態ではセット部１３０が吸入口１５２に接続されるように設けられる例を説明したが、本発明にかかるセット部はかかる例に限定されない。例えば、収納票が吸入口に直接セットされる場合には、吸入口がセット部としての機能を有している、と理解されてもよい。また、収納票の吸入が行われずに収納票が処理される場合に、収納票がセットされる部位であっても、当該部位がセット部としての機能を有している、と理解されてもよい。
【０１３９】
また、上記実施形態では、収納票の印紙貼付欄への印紙の貼り付け処理と、収納票が有する受領証領域の切り離し処理が、店員による手作業で行われる例を説明したが、本発明はかかる例に限定されない。例えば、収納票処理部Ｃが収納票に印紙の貼り付けを行う貼付機構と、収納票から受領証領域を切り離す切断機構を備え、上記の処理が自動的に行われてもよい。また、収納票処理部Ｃが上記の切断機構を備える場合、制御部の位置特定部は、収納票画像に基づいて、切断位置を特定してもよい。
【０１４０】
また、上記実施形態では、物販にかかる機能を有する収納票処理装置１に本発明を適用した例を説明したが、本発明はかかる例に限定されない。例えば、本発明による収納票処理装置は、物販にかかる機能を持たなくてもよい。
【０１４１】
また、本明細書の動作における各ステップは、必ずしもフローチャート図として記載された順序に沿って時系列に処理する必要はない。例えば、上述の動作における各ステップは、フローチャート図として記載した順序と異なる順序で処理されても、並列的に処理されてもよい。
【産業上の利用可能性】
【０１４２】
本発明は、収納票処理装置に適用可能であり、特にコンビニエンスストアなどの店舗での収納代行業務に用いられる。
【符号の説明】
【０１４３】
１  収納票処理装置
２  通信網
３  センタサーバ
４ａ〜４ｄ  収納票
１０  本部控え
１２、２２、３２  領収印領域
１４  データコード領域
２０  店舗控え
３０  顧客控え（受領証領域）
１１０  制御部
１１１  主制御部
１１２  データコード解析部
１１３  印紙貼付判定部
１１４  商品登録部
１１５  受領証判定部
１１６  位置特定部
１２２  データコードリーダ
１２４  店員側タッチパネル
１２６  顧客側タッチパネル
１２８  現金処理部
１３０、５３０  セット部
１３２、５３２  プリンタ部
１３４、５３４  スキャナ部
１３６、５３６  分離部
１３８  記憶部
１４０、６４０  収納票格納部
１５２、５５２、６５２  吸入口
１５４、５５４  排出口
１５６、５５６  ピックアップローラ
１５８、１６０、５５８、６５８  ブレード
【図１】
0006421646.tif 000002
【図２】
0006421646.tif 000003
【図３】
0006421646.tif 000004
【図４】
0006421646.tif 000005
【図５】
0006421646.tif 000006
【図６】
0006421646.tif 000007
【図７】
0006421646.tif 000008
【図８】
0006421646.tif 000009
【図９】
0006421646.tif 000010
【図１０】
0006421646.tif 000011
【図１１】
0006421646.tif 000012
【図１２】
0006421646.tif 000013
【図１３】
0006421646.tif 000014
【図１４】
0006421646.tif 000015
【図１５】
0006421646.tif 000016
【図１６】
0006421646.tif 000017
【図１７】
0006421646.tif 000018
【図１８】
0006421646.tif 000019